(57)【要約】【課題】皮膚角質などの皮膚異物質を効率よく除去することができる皮膚美容装置を提供することにある。【解決手段】吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、前記ハンドピースはその一端部にチップが結合されるための結合手段が具備され、その結合手段により結合される部位には吸入力により皮膚から除去された皮膚異物をフィルターリングするためのフィルタが装着される。【選択図】図１
2005000642.tif 000002
【特許請求の範囲】
【請求項１】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、
前記ハンドピースはその一端部にチップが結合されるための結合手段が具備され、その結合手段により結合される部位には吸入力により皮膚から除去された皮膚異物をフィルターリングするためのフィルタが装着されることを特徴とする皮膚美容装置。
【請求項２】
前記結合手段はハンドピースの端部から突出されて、ここにチップが結合される突出部を有し、前記突出部の内側にフィルタが挿入されて装着されることを特徴とする請求項１に記載の皮膚美容装置。
【請求項３】
前記突出部の外側にはOリングまたはネジ山が形成されることを特徴とする請求項２に記載の皮膚美容装置。
【請求項４】
吸入力を発生する本体と、一端が前記本体と結合され他端にはハンドピースが結合される吸入ホースと、前記吸入ホースからの吸入力が伝達されて使用者が手で取れるようにその本体が形成され、その端部が皮膚に接触されるハンドピースと、から構成された皮膚美容装置において、
前記ハンドピースの端部にダイアモンド粉末が付いたことを特徴とする皮膚美容装置。
【請求項５】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、
前記ハンドピースは2個以上のピースが結合手段により脱着可能に結合されて一つの本体をなし、その結合される部位には吸入力により皮膚から除去された皮膚異物をフィルターリングするためのフィルタが装着されることを特徴とする皮膚美容装置。
【請求項６】
前記結合手段は一つのハンドピースの端部から突出されてこれに又他のハンドピースが結合される突出部を有し、前記突出部の内側にフィルタが挿合されて装着されることを特徴とする請求項５に記載の皮膚美容装置。
【請求項７】
前記突出部の外側にはOリングまたはネジ山が形成されることを特徴とする請求項６に記載の皮膚美容装置。
【請求項８】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、
前記チップは丸のままで構成され、その両側面は全て開放され、皮膚に当る側の一面端部にはダイアモンド粉末が付くことを特徴とする皮膚美容装置。
【請求項９】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、
前記チップはその一端部にハンドピースが結合されるための結合手段が具備され、該結合手段により結合される部位には吸入力により皮膚から除去された皮膚異物をフィルターリングするためのフィルタが装着されることを特徴とする皮膚美容装置。
【請求項１０】
前記結合手段はハンドピースの端部から突出されてここにチップが結合される突出部を有し、該突出部の内側にフィルタが挿合されて装着されることを特徴とする請求項９に記載の皮膚美容装置。
【請求項１１】
前記突出部の外側にはOリングまたはネジ山が形成されることを特徴とする請求項１０に記載の皮膚美容装置。
【請求項１２】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、
前記ハンドピースは丸のままで構成され、その両側面は全て開放され、その一側端部は上向き折曲された掛止突起が形成されるように構成され、
前記チップは丸のままで構成され、その両側面は全て開放され、その両側端部は外向き折曲された掛止突起が形成されて、その一側は前記ハンドピースの内側に位置して掛止突起によりハンドピースの外側への離脱が防止されるように構成され、
前記チップの本体は前記ハンドピースの一側端部の開放された部位よりもその広さが小さくなるように形成されて遊隙を有するように構成されることを特徴とする皮膚美容装置。
【請求項１３】
前記チップの本体とハンドピースの内側との間には弾性支持部材が具備されてチップとハンドピースが直線上に位置するように支持することを特徴とする請求項１２に記載の皮膚美容装置。
【請求項１４】
吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接に接触するチップと、から構成された皮膚美容装置において、
前記本体は、吸入力を発生する吸入モーターと、
前記吸入モーターの吸入力を選択するための入力信号を印加する入力部と、
前記吸入モーターを駆動させるそれぞれ異なった複数個の吸入力発生値を貯蔵するメモリと、
前記入力部の入力信号により前記メモリに貯蔵された吸入力発生値を選択して吸入モーターの吸入力を制御する制御部と、から構成されることを特徴とする皮膚美容装置。
【請求項１５】
前記吸入モーターから発生される吸入力の強さを可視的に表現するためのディスプレイ部を含んで構成されることを特徴とする請求項１４に記載の皮膚美容装置。
【請求項１６】
ハンドピースの本体内部に具備された電源供給部と、前記電源供給部により供給された電源で駆動されるモーターと、前記モーターの駆動により吸入力を発生する真空圧発生タンクと、前記本体の外部に突出されて前記真空圧発生タンクからの吸入力を伝達するガイドと、前記ガイドの端部に結合されて皮膚に接触されるチップが前記ハンドピース本体に一体に具備されることを特徴とする皮膚美容装置。
【請求項１７】
前記ガイドは第１及び第２ガイドに分離され、前記第１及び第２ガイドは結合手段により結合可能に構成され、その結合した位置にはフィルタが装着されることを特徴とする請求項１６に記載の皮膚美容装置。
【発明の詳細な説明】
【技術分野】
【０００１】
本発明は、皮膚美容装置に係るもので、特に皮膚角質などの皮膚異物を効率よく除去することができる皮膚美容装置に関する。
【背景技術】
【０００２】
一般に、顔のような皮膚の角質などの異物を除去するためにピーリング(peeling)機構のような美容機構を用いる。このような既存の美容機構は吸入力を発生する本体と、皮膚に直接接触して本体から発生した吸入力が伝達されて角質などの皮膚異物を吸入するハンドピース部分と、から構成される。
【発明の開示】
【発明が解決しようとする課題】
【０００３】
然るに、前記ハンドピースにより除去された角質などの皮膚異物などは本体に吸入され、その本体に具備されたフィルタにより皮膚異物が取り除かれる。従って、使用者は前記フィルタにより取り除かれた皮膚異物を掃除するために毎度本体からフィルタを分離して掃除しなければならないので煩雑であり、且つ多くの費用及び時間が掛かるとの問題点があった。
【０００４】
そこで、本発明の目的は、ハンドピースにフィルタを装着することにより、容易に分離し掃除することができる皮膚美容装置を提供することにある。
【課題を解決するための手段】
【０００５】
このような目的を達成するため本発明の第１実施例による皮膚美容装置は、吸入力を発生する本体と、一端が前記本体と結合され他端にはハンドピースが結合される吸入ホースと、前記吸入ホースからの吸入力が伝達されて使用者が手で取れるようにその本体が形成されたハンドピースと、前記ハンドピースに結合されて皮膚に直接接触するチップと、から構成された皮膚美容装置において、前記ハンドピースはその一端部にチップが結合されるための結合手段が具備され、その結合手段により結合される部位には吸入力により皮膚から除去された異物をフィルターリングするためのフィルタが装着されることを特徴とする。
【０００６】
本発明の第２実施例として前記ハンドピースは2個以上のピースが結合手段により脱着できるように結合されて一つの本体をなし、その結合される部位には吸入力により皮膚から除去される皮膚異物質をフィルターリングするためのフィルタが装着されることを特徴とする。
【０００７】
本発明の第３実施例として前記チップは丸のままで構成され、その両側面は全て開放され、皮膚に当る側の一面端部にはダイアモンド粉末が付いたことを特徴とする。
【０００８】
本発明の第４実施例として前記チップはその一端部にハンドピースが結合されるための結合手段が具備され、その結合手段により結合される部位には吸入力により皮膚から除去される皮膚異物をフィルターリングするためのフィルタが装着されることを特徴とする。
【０００９】
本発明の第５実施例として前記ハンドピースは丸のままで構成され、その両側面は全て開放され、その一側端部は内側に折曲された掛止突起が形成されるように構成される。そして、前記チップは丸のままで構成され、その両側面は全て開放され、その両側端部は外側に折曲された掛止突起が形成されて、その一側は前記ハンドピースの内側に位置して前記掛止突起によりハンドピースの外側への離脱が防止されるように構成される。また、前記チップの本体は前記ハンドピースの一側端部の開放された部位よりもその広さが小さくなるように形成されて、遊隙があるように構成されたことを特徴とする。
【発明の効果】
【００１０】
このような本発明による皮膚美容装置は、ハンドピースにフィルタを装着して容易に分離し掃除できるようにして、使用上の便利性を付加するとの効果がある。
【発明を実施するための最良の形態】
【００１１】
以下、本発明の実施形態について図面を用いて詳しく説明する。
図１は本発明の一実施例による皮膚美容装置の外観を示した図で、図２乃至図１５は本発明による皮膚角質除去のためのハンドピースとチップの多様な実施例を示した図で、図１６は本発明の一実施例により本体内部に構成された回路ブロックを示した図で、図１７及び図１８は本発明の他の実施例による構成を示した図である。
【００１２】
図１に示すように、本体１００の上部面には動作及び機能選択状態を使用者にディスプレイするためのディスプレイ部１１０が具備され、このディスプレイ部１１０は液晶画面及びLEDを用いることができる。
また、吸入ホース２００とハンドピース３００を収納するための収納部１０４が具備され、前記収納部１０４の側面にはチップ４００を保管するためのチップ保管部１０２が具備される。
【００１３】
また、前記本体１００の上部を覆うための蓋体１０１が開閉可能に設置され、前記蓋体１０１の内側にはミラー１０３が具備される。
また、前記本体１００の上部には皮膚美容装置の電源をオン/オフするための電源スイッチ１２０が具備され、前記本体１００から発生する吸入力をハンドピース３００に伝達するための吸入ホース２００が連結され、吸入強度を調節するための各種ボタン部、即ち、吸入強度入力部１３０が具備される。
そして、本体１００の側面には電源を供給するためのアダプタジャック１７０が具備される。
【００１４】
図２は本発明のハンドピースとチップの第１実施例を示す。
中空部３０２が貫通されて形成されたハンドピース３０１の一端部は前記吸入ホース２００が挿合され、その他端部には突出部３０３を有する。
前記突出部３０３の端部内側には環形の段付けられたフィルタ装着部３０４が形成されて、ここに１回用フリーフィルタ３０６が装着される。
そして、前記突出部３０３の外側にはOリングが少なくとも一つ以上だけ具備されて、前記突出部３０３にチップ４０１が嵌合される。
【００１５】
また、前記チップ４０１の端部４０２にはダイアモンド粉末が付いていて、皮膚にその端部４０２が接触する際に皮膚角質をピーリングし、以下に説明される全てのチップにはこのようなダイアモンド粉末が付いている。
そこで、使用者が吸入強度入力部１３０のボタンを入力すると、図１６に示すように、コントローラー１６０が吸入モーターからなった吸入発生部１６２の駆動を制御して吸入力を発生させ、その吸入力は吸入ホース２００を通じてハンドピース３０１に伝達されてチップ４０１によりピーリングされた皮膚角質などの皮膚異物を吸入するようになる。
【００１６】
よって、吸入された皮膚異物はフィルタ３０６により取り除かれ、本体１００の内部に吸入されないため、前記チップ４０１のみをハンドピース３０１から分離させてフィルタ３０６を除去すればよい。
【００１７】
また、他の方案としてはチップを用いず、前記ハンドピース３０１の端部にダイアモンド粉末を付けることができる。
一方、前記コントローラー１６０は吸入力発生部１６２から発生する吸入力をデジタル方式で易しく調節することができる。
【００１８】
従来では使用者が吸入強度を調節するためにアナログ方式のダイヤルを用いて吸入強度を調節したが、このとき、その吸入強度を誤って調節した場合には大きな吸入力により皮膚が損傷されるおそれがあった。
【００１９】
しかし、本発明ではメモリ１６１に予め適切な吸入強度に対するデータ値を記憶して置き、使用者が吸入強度入力部１３０を通じて入力される吸入強度（ここでは高(ハイ)、中(M)、低(L)の３段階に分ける）に従い、コントローラー１６０がそれに該当する吸入強度データ値をメモリ１６１から読み取って吸入力発生部１６２の動作を制御する。
【００２０】
従って、使用者は容易に吸入強度を調節し、使用者の誤った入力に基因する皮膚損傷を防止することができる。
また、その吸入強度に対する情報はディスプレイ部１１０を通じて使用者に可視的に表現されることができる。
【００２１】
図３はハンドピースとチップの第２実施例を示し、第１実施例と異なった部分はチップ４０５を装着するためのハンドピース３０７の突出部３０９にOリングの代わりにネジ山４０７が形成され、チップ４０５の中空部４０６内側面にもネジ山４０７が形成されて、ハンドピース３０７とチップ４０５がネジで結合される構成である。このとき、符号３０８は中空部、３１１はフィルタ装着部、３１２はフィルタである。
【００２２】
図４aはハンドピースとチップの第３実施例を示し、ハンドピース３１３の中空部３１４内側の一部にはネジ山３１５が形成され、チップ４０８はネジ山の形成された突出部４０９が形成され、前記突出部４０９の内側にはフィルタ装着部４１０が形成される。よって、図４ｂに示すように、前記フィルタ装着部４１０にフィルタが装着された後、前記ハンドピース３１３とネジで結合される。
【００２３】
図５はハンドピースとチップの第４実施例を示し、第３実施例と異なった部分はチップ４１２の突出部４１４にネジ山の代わりに複数個のOリング４１６が具備されて、ハンドピース３１６の内側中空部３１７に圧着されて挿合される構成である。このとき、符号４１１はフィルタ、４１３は中空部、４１５はフィルタ装着部である。
【００２４】
図６はハンドピースとチップの第５実施例を示し、第１実施例と異なった部分はハンドピース３１８の本体一部が一定角度（ほぼ３０°〜８０°）に傾いてチップ４１７の端部が皮膚表面に一層密着されるようにした構成である。
即ち、使用者がハンドピース３１８を垂直に取っていてもチップ４１７の端部は皮膚表面に密着されるようにする構成である。
このとき、符号３１９と４１８は中空部、３２０は突出部、３２１はOリング、３２２はフィルタ装着部、３２３はフィルタである。
【００２５】
図７はハンドピースとチップの第６実施例を示し、ハンドピースは第１ピース３２４と第２ピース３２０からなる。
前記第１ピース３２４は内側に中空部３２５が貫通されて形成され、第１ピース３２４の一端部は前記吸入ホース２００が挿合され、その他端部には突出部３２６を有する。
前記突出部３２６の端部内側には環形の段付けられたフィルタ装着部３２７が形成され、ここにフィルタ３２９が装着される。
【００２６】
また、前記突出部３２６の外側にはOリングが少なくとも一つ以上だけ具備されて、この突出部３２６に第２ピース３３０の一側が嵌合される。
前記第２ピース３３０は第１ピース３２４と同様に、内側に中空部３３１が貫通されて形成され、一端部は前記第１ピース３２４の突出部３２６が嵌合され、その他端部には突出部３３２を有する。
【００２７】
前記突出部３３２の外側にはOリングが少なくとも一つ以上具備されて、この突出部３３２に中空部４１９の形成されたチップが嵌合される。
従って、チップを分離せず、ハンドピースのみを分離してフィルタを交換できるようにした構成であり、前記突出部３２６、３３２にはOリングの代わりにネジ山が形成されて、相互間のネジ結合でなされることもできる。
【００２８】
図８はハンドピースとチップの第７実施例を示し、ハンドピースは第６実施例と同様に、第１ピース３３４と第２ピース３３７からなる。
前記第１ピース３３４は内側に中空部３３５が貫通されて形成される。
前記第２ピース３３７は内側に中空部３３８が形成され、両端に全て突出部を有し、その一端にはネジ山の形成された突出部３３９が形成される。
前記突出部３３９の端部内側には環形の段付けられたフィルタ装着部３４０が形成されて、これにフィルタ３３６が装着される。
また、第２ピース３３７の他端には複数個のOリング３４２の具備された突出部が形成されて、その突出部３４１にチップ４２１が嵌合される。
前記突出部３３９、３４１にはOリングの代わりにネジ山、または該ネジ山の代わりにOリングが形成されて、相互間の結合がなされることができる。
【００２９】
図９はハンドピースとチップの第８実施例を示し、ハンドピースは第１ピース３４３と第２ピース３４９からなる。
前記第１ピース３４３は内側に中空部３４４が貫通されて形成され、第１ピース３４３の一端部は前記吸入ホース２００が挿合され、その他端部には突出部３４５を有する。
前記突出部３４５の端部内側には環形の段付けられたフィルタ装着部３４６が形成されて、ここにフィルタ３４８が装着される。
【００３０】
また、前記突出部３４５の外側にはOリングが少なくとも一つ以上具備されて、該突出部３４５に第２ピース３５０の一側が嵌合される。
前記第２ピース３５０は内部に中空部３４９が形成され、その一端には第１ピース３４３が結合され、その他端にはチップ４２３が結合される。
前記チップ４２３の外側には複数個のOリング４２４が具備されて、前記第２ピース３５０の他端に圧着されて結合される。
また、Oリングの代わりにネジ山、またはネジ山の代わりにOリングが形成されて、相互間の結合がなされることができる。
【００３１】
図１０はハンドピースとチップの第９実施例を示し、前記第７実施例で言及したように、突出部３５７にネジ山の代わりに複数のOリング３５８が具備され、第１ピース３５２と第２ピース３５６が圧着されて結合された構成である。
符号３５２，４２６は中空部、３５３はフィルタ、３５９はフィルタ装着部、３６０は突出部、３６１はOリングである。
【００３２】
図１１はハンドピースとチップの第１０実施例を示し、ハンドピース３６２は丸のままで構成され、その両側面は全て開放された中空部３６３を有し、その一側端部は内側に折曲された掛止突起３６４が形成されるように構成される。
また、チップ４２７も同様に丸のままで構成され、その両側面は全て開放され、その両側端部は外側に折曲された掛止突起４２８、４２９が形成され、その一側は前記ハンドピース３６２の内側に位置して前記掛止突起３６４によりハンドピース３６２の外側への離脱が防止されるように構成される。
【００３３】
このとき、前記チップ４２７の本体は前記ハンドピース３６２の一側端部の開放された部位よりもその直径が小さくなるように形成されて遊隙を有するように構成される。
即ち、掛止突起３６４の内側直径よりもチップ４２７本体の直径がもっと小さくなることにより、相互間の遊隙が形成されてチップ４２７が遊動することになる。
【００３４】
従って、図１２に示すように、チップ４２７の端部が皮膚４３１に接触するとき、ハンドピース３６２が傾いてもチップ４２７は皮膚４３１と恒常垂直になる状態、即ち、チップの端部と皮膚が水平状態を維持する。
【００３５】
また、前記チップ４２７本体の外側にはOリング形態の弾性支持部４３０が具備され、前記弾性支持部４３０がハンドピース３６２の中空部３６３内側面と密着されることにより、チップ４２７の端部を恒常水平状態に維持できる復元力を有することになる。
従って、ダイアモンド粉末が付いたチップ４２７の端部が皮膚に均一に密着されることにより、前記チップ４２７が接触する皮膚が片摩耗されなくなって、均一なピーリングがなされることになる。
即ち、使用者がチップ４２７を皮膚に水平に維持できなくても前記チップ４２７の端部は恒常皮膚に水平状態を維持することにより、皮膚の片摩耗のない均一なピーリングがなされるようになる。
【００３６】
図１３はチップの第１１実施例を示し、チップ４３２の端部４３４が外側から内側にテーパされる(tapered)ように構成されて、その端部４３４が皮膚に接触されたときに皮膚の片摩耗の発生が減らすようになる。
即ち、前記テーパされた部分に皮膚が均一に接触されることにより、皮膚の片摩耗が減らすようになる。
【００３７】
図１４及び図１５はハンドピースとチップの第１２実施例を示した図で、ハンドピース３６５の端部にはチップ４３５を結合するための突出部３６６が具備され、その突出部３６６の外側部には掛止突起３６７が少なくとも一つ以上だけ具備される。
また、チップ４３５は内側に中空部４３６が貫通されて形成され、前記チップ４３５の端部内側には環形の掛止部４３８が形成され、前記掛止部４３８に前記ハンドピース３６５の掛止突起３６７が嵌合されるように溝４３７が形成される。
【００３８】
それで、前記突出部３６６がチップ４３５の内側に挿合されるときに掛止突起３６７が前記４３７に嵌合され、前記掛止突起３６７が該溝４３７を通過してチップ４３５の内側中空部４３６に位置することになる。
【００３９】
このとき、使用者がチップ４３５またはハンドピース３６５を回すと、前記掛止突起３６７が掛止部４３８の内側にそって移動しながら掛止され、ハンドピース３６５とチップ４３５の締結がなされるようになる。
また、前記チップ４３５内側面の掛止部４３８の後方にはストッパー４３９が形成され、前記掛止突起３６７が挿入されるときにこれに掛止されて、その挿入の程度が制限されるようになる。
【００４０】
図１７は本発明の他の実施例による構成を示した図で、ハンドピースの内部、即ち、本体５０１の内部には電源を供給するための充填バッテリ５０２が具備され、前記バッテリ５０２の上側には振動と吸入力を発生するためのモーター５０６が具備される。
また、前記モーター５０６の駆動を制御するための制御モジュールの装着されたPCB５０４が具備され、前記モーター５０６の駆動による真空吸入力を発生するための真空圧発生タンク５０８が具備される。
前記真空圧発生タンク５０８には吸入管５０９が連結され、前記吸入管５０９にはガイド５１０、５１１及びチップ５１３が装着される。
【００４１】
一方、前記モーター５０６の軸には偏芯カム５０７が具備されてモーター５０６の動作の際に振動力を発生し、本体５０３の外側には電源スイッチ５０３が具備されるとともに真空圧の強さを調節できるボタン５０６がさらに具備される。
前記チップガイド５１０、５１１とチップ５１３は図１８に示したように、本体５０１のガイド装着具５０１−１に挿合されて前記吸入管５０９と連通される第１ガイド５１０が構成され、前記第１ガイド５１０の端部には突出部５１０−１が形成される。
前記突出部５１０−１の端部にはフィルタ５１２が位置し、前記突出部５１０−１の外側には第２ガイド５１１の一側部が嵌合される。
【００４２】
前記第２ガイド５１１の他側部は突出部５１１−１を有し、その外側にはOリング５１４が嵌められてチップ５１３が圧着され、チップ５１３の端部にはダイアモンド粉末が付いて皮膚をピーリングするようになる。
【００４３】
以下、その動作を説明する。
使用者が本体５０１を手で取った状態でスイッチ５０３をオンさせると、バッテリ５０２に充填された電源によりモーター５０６が駆動する。前記モーター５０６の駆動により真空圧発生タンク５０８には真空圧が形成されて前記吸入管５０９は吸入力を有するとともに、前記モーター５０６の軸に連結された偏芯カム５０７により本体５０１に振動が発生する。
【００４４】
よって、吸入管５０９と連通された第１及び第２ガイド５１０、５１１、チップ５１３により形成された吸入口５１５を通じて皮膚異物が吸入され、その吸入された皮膚異物はフィルタ５１２によりフィルターリングされる。
【００４５】
一方、前記本体５０１には真空圧の強さを調節できる真空圧強さ調節ボタン５０６が具備されて、使用者がこれを操作するとき、PCB５０４に具備された制御モジュールはモーター５０６の駆動力を制限して吸入力を調節することになる。
前記本体５０１の下部にはジャック接続具５１６が具備されて、外部から印加する電源によりバッテリ５０２が充填されることができる。
【図面の簡単な説明】
【００４６】
【図１】本発明による皮膚美容装置の外観を示した図である。
【図２】本発明による皮膚異物除去のためのハンドピースとチップの多様な実施例を示した図である。
【図３】本発明による皮膚異物除去のためのハンドピースとチップの多様な実施例を示した図である。
【図４ａ】本発明による皮膚異物除去のためのハンドピースとチップの多様な実施例を示した図である。
【図４ｂ】本発明による皮膚異物除去のためのハンドピースとチップの多様な実施例を示した図である。
【図５】本発明による皮膚異物除去のためのハンドピースとチップの多様な実施例を示した図である。
【図６】本発明による皮膚異物除去のためのハンドピースとチップの多様な実施例を示した図である。
【図７】本発明による皮膚異物除去のためのハンドピースとチップの多様な実施例を示した図である。
【図８】本発明による皮膚異物除去のためのハンドピースとチップの多様な実施例を示した図である。
【図９】本発明による皮膚異物除去のためのハンドピースとチップの多様な実施例を示した図である。
【図１０】本発明による皮膚異物除去のためのハンドピースとチップの多様な実施例を示した図である。
【図１１】本発明による皮膚異物除去のためのハンドピースとチップの多様な実施例を示した図である。
【図１２】本発明による皮膚異物除去のためのハンドピースとチップの多様な実施例を示した図である。
【図１３】本発明による皮膚異物除去のためのハンドピースとチップの多様な実施例を示した図である。
【図１４】本発明による皮膚異物除去のためのハンドピースとチップの多様な実施例を示した図である。
【図１５】本発明による皮膚異物除去のためのハンドピースとチップの多様な実施例を示した図である。
【図１６】本発明の一実施例により本体内部に構成された回路ブロックを示した図である。
【図１７】本発明の他の実施例による構成を示した図である。
【図１８】本発明の他の実施例による構成を示した図である。
【符号の説明】
【００４７】
１００    本体
１０１    蓋体
１０２    チップ保管部
１０３    ミラー
１０４    収納部
１１０    ディスプレイ部
１２０    電源スイッチ
１３０    吸入強度入力部
１６０    コントローラー
１６１    メモリ
１６２    吸入力発生部
２００    吸入ホース
３００、３０１    ハンドピース
３０２、３１９、３２５、３３１、３３５、３３８、４１８    中空部
３０３、３２０    突出部
３０４    フィルタ装着部
３２１    Oリング
３２２    フィルタ装着部
３２３、３２９、３５３    フィルタ
３２４、３３４、３４３    第１ピース
３２６、３３９、３６０    突出部
３２７、３３２、３４０、３５９    フィルタ装着部
３３０、３３７、３５０    第２ピース
３５８、３６１    Oリング
３６２    ハンドピース
３６４    掛止突起
３０６    フリーフィルタ
４００、４０１、４０５、４０８、４１７、４２１、４２３，４２７，４３２    チップ
４０２    端部
４０７    ネジ山
４０９    突出部
４１０、４１５    フィルタ装着部
４１１    フィルタ
４１３    中空部
４１９、４２６，４３６    中空部
４２４    Oリング
４３１    皮膚
４３４    端部
４３８    掛止部
５０１    本体
５０２    充填バッテリ
５０４    PCB
５０６    モーター
５０７    偏芯カム
５０８    真空圧発生タンク
５０９    吸入管
５１０、５１１    チップガイド
５１３    チップ
５１５    吸入口
５１６    ジャック接続具
【図１】
2005000642.tif 000003
【図２】
2005000642.tif 000004
【図３】
2005000642.tif 000005
【図４ａ】
2005000642.tif 000006
【図４ｂ】
2005000642.tif 000007
【図５】
2005000642.tif 000008
【図６】
2005000642.tif 000009
【図７】
2005000642.tif 000010
【図８】
2005000642.tif 000011
【図９】
2005000642.tif 000012
【図１０】
2005000642.tif 000013
【図１１】
2005000642.tif 000014
【図１２】
2005000642.tif 000015
【図１３】
2005000642.tif 000016
【図１４】
2005000642.tif 000017
【図１５】
2005000642.tif 000018
【図１６】
2005000642.tif 000019
【図１７】
2005000642.tif 000020
【図１８】
2005000642.tif 000021